(57)【要約】【課題】文字や画像等を高い視認性で光学的に形成することができる情報記憶媒体を提供することを目的とする。【解決手段】本発明に係る情報記憶媒体は、一方の面がレーザ照射面であり他方の面がレーベル面である多層記録可能な情報記憶媒体において、各種デジタルデータを前記レーザ照射面側から光学的に記録する第１の記録層と、画像データを前記レーザ照射面側から光学的に、かつ前記レーベル面側から視認可能に記録する第２の記録層と、を備えたことを特徴とする。【選択図】  図３
2007035194.tif 000002
【特許請求の範囲】
【請求項１】
一方の面がレーザ照射面であり他方の面がレーベル面である多層記録可能な情報記憶媒体において、
各種デジタルデータを前記レーザ照射面側から光学的に記録する第１の記録層と、
画像データを前記レーザ照射面側から光学的に、かつ前記レーベル面側から視認可能に記録する第２の記録層と、
を備えたことを特徴とする情報記憶媒体。
【請求項２】
前記情報記憶媒体は透明構造を有することを特徴とする請求項１に記載の情報記憶媒体。
【請求項３】
前記情報記憶媒体は、追記型、或いは書き換え型の情報記憶媒体であり、
前記各種デジタルデータおよび前記画像データは、追記可能、或いは書換え可能であることを特徴とする請求項１に記載の情報記憶媒体。
【請求項４】
前記画像データは文字を含み、
前記文字は、前記レーザ照射面からは鏡文字で記録することを特徴とする請求項１に記載の情報記憶媒体。
【請求項５】
前記第２の記録層を複数備え、前記複数の第２の記録層によって前記画像データの階調を表現可能に構成されたことを特徴とする請求項１に記載の情報記憶媒体。
【請求項６】
前記第２の記録層を複数備え、前記複数の第２の記録層によって前記画像データの色を表現可能に構成されたことを特徴とする請求項１に記載の情報記憶媒体。
【請求項７】
多層記録可能な情報記憶媒体において、
各種デジタルデータを前記レーザ照射面側から光学的に記録する第１の記録層と、
画像データを前記レーザ照射面側から光学的に、かつ前記レーザ照射面側から視認可能に記録する第２の記録層と、
を備えたことを特徴とする情報記憶媒体。
【請求項８】
一方の面がレーザ照射面であり他方の面がレーベル面である多層記録可能な情報記憶媒体に記録し再生する情報記録再生装置おいて、
各種デジタルデータを前記レーザ照射面側から光学的に第１の記録層に記録し再生する手段と、
画像データを前記レーザ照射面側から光学的に、かつ前記レーベル面側から視認可能に第２の記録層に記録し、再生する手段と、
を備えたことを特徴とする情報記録再生装置。
【請求項９】
前記情報記憶媒体は透明構造を有することを特徴とする、請求項８に記載の情報記録再生装置。
【請求項１０】
前記情報記憶媒体は、追記型、或いは書き換え型の情報記憶媒体であり、
前記各種デジタルデータおよび前記画像データは、追記可能、或いは書換え可能であることを特徴とする請求項８に記載の情報記録再生装置。
【請求項１１】
前記画像データは文字を含み、
前記文字は、前記レーザ照射面からは鏡文字で記録することを特徴とする請求項８に記載の情報記録再生装置。
【請求項１２】
前記第２の記録層を複数備え、前記複数の第２の記録層によって前記画像データの階調を表現可能に構成されたことを特徴とする請求項８に記載の情報記録再生装置。
【請求項１３】
前記第２の記録層を複数備え、前記複数の第２の記録層によって前記画像データの色を表現可能に構成されたことを特徴とする請求項８に記載の情報記録再生装置。
【請求項１４】
多層記録可能な情報記憶媒体に記録し再生する情報記録再生装置おいて、
各種デジタルデータを前記レーザ照射面側から光学的に第１の記録層に記録し再生する手段と、
画像データを前記レーザ照射面側から光学的に、かつ前記レーザ照射面側から視認可能に第２の記録層に記録し再生する手段と、
を備えたことを特徴とする情報記録再生装置。
【請求項１５】
一方の面がレーザ照射面であり他方の面がレーベル面である多層記録可能な情報記憶媒体に記録し再生する情報記録再生方法において、
各種デジタルデータを前記レーザ照射面側から光学的に第１の記録層に記録し再生するステップと、
画像データを前記レーザ照射面側から光学的に、かつ前記レーベル面側から視認可能に第２の記録層に記録し、再生するステップと、
を備えたことを特徴とする情報記録再生方法。
【請求項１６】
前記情報記憶媒体は透明構造を有することを特徴とする、請求項１５に記載の情報記録再生方法。
【請求項１７】
前記情報記憶媒体は、追記型、或いは書き換え型の情報記憶媒体であり、
前記各種デジタルデータおよび前記画像データは、追記可能、或いは書換え可能であることを特徴とする請求項１５に記載の情報記録再生方法。
【請求項１８】
前記画像データは文字を含み、
前記文字は、前記レーザ照射面からは鏡文字で記録することを特徴とする請求項１５に記載の情報記録再生方法。
【請求項１９】
前記第２の記録層を複数備え、前記複数の第２の記録層によって前記画像データの階調を表現可能に構成されたことを特徴とする請求項１５に記載の情報記録再生方法。
【請求項２０】
前記第２の記録層を複数備え、前記複数の第２の記録層によって前記画像データの色を表現可能に構成されたことを特徴とする請求項１５に記載の情報記録再生方法。
【請求項２１】
多層記録可能な情報記憶媒体に記録し再生する情報記録再生方法おいて、
各種デジタルデータを前記レーザ照射面側から光学的に第１の記録層に記録し再生するステップと、
画像データを前記レーザ照射面側から光学的に、かつ前記レーザ照射面側から視認可能に第２の記録層に記録し再生するステップと、
を備えたことを特徴とする情報記録再生方法。
【発明の詳細な説明】
【技術分野】
【０００１】
本発明は、情報記憶媒体、情報記録再生装置、および情報記録再生方法に係り、特に、可視画像を記録、再生可能な情報記憶媒体、情報記録再生装置、および情報記録再生方法に関する。
【背景技術】
【０００２】
今日、各種のＣＤ（Coｍpact  Disk）やＤＶＤ（Digital  Versatile  Disk）等の光ディスク（情報記憶媒体）が広く普及している。また、新たな次世代型のＤＶＤ、例えばＨＤ  ＤＶＤ等も開発されてきている。これらの光ディスクには、追記型ディスクや書き換え型ディスク等のように、ユーザがデータを任意に書き込める形態のものも多い。
【０００３】
光ディスクは、レーザを照射する記録面とその反対側にラベル面を備える形態が一般的である。ラベル面には光ディスクを識別する情報が、例えば紙に印刷されて貼り付けられている。
【０００４】
また、追記型ディスクや書き換え型ディスクの場合は、記録したデータの内容を識別するために、ユーザ自身が貼付した紙等のラベルにデータの内容を例えばマジックペン等で書き込み、或いはユーザ自身が印刷した識別ラベルを貼付することが多い。書き換え型ディスクでは、ディスクの記録内容を何度でも書き換えられるため、書き換える度に、記録データの内容に応じた識別情報をラベル面に書き込むか、或いは紙ラベル等を剥がして再度貼付する等の作業を伴うことが多い。これらの作業は煩雑であるばかりか、誤った識別情報が書かれる場合もある。また、煩雑さのあまりレベルの記録を怠ると、後日その光ディスクに記録した内容を検索し特定するために多くの労力を費やすことになる。
【０００５】
光ディスクへのデータ記録と同時に、データ内容を容易に視認することができる文字や画像を、簡便な方法で光ディスク上に光学的に記録することができれば、ユーザの負担は大きく軽減される。また、ユーザが書き換えられないＣＤ−ＲＯＭやＤＶＤ−ＲＯＭ等であっても、光ディスク供給者は、ラベル貼付工程が不要となり光ディスク製造コストの低減が可能となる。
【０００６】
他方、ＣＤにおいて、記録面のうちデータが記録されていない領域に対して、光学的に文字や画像を描画する技術が、例えば特許文献１、２等に開示されている。
【０００７】
特許文献１では、周期性のあるピットを光ディスク上に形成することで回折格子を生成し、ホログラム画像を生成する技術を開示している。また、特許文献２では、未記録の領域にレーザ光を照射し、熱変色させることによって文字や図柄等の可視画像を形成する技術を開示している。
【特許文献１】特開２００４−１７１６０５号公報
【特許文献２】特開２００４−２１３８５２号公報
【発明の開示】
【発明が解決しようとする課題】
【０００８】
特許文献１等が開示する技術は、画像をデータ記録層の未記録領域に形成するものであり、視認性の点では改善の余地が多い。また、ＣＤでは未記録領域を比較的広くとることが可能であるのに対して、ＤＶＤでは未記録領域に対する自由度が低く、広い領域を画像描画領域に割り当てることは容易ではない。
【０００９】
さらに、特許文献１等が開示する技術では、記録した画像は記録面側から視認することになる。ユーザの視認性の観点からは、レベル面側から瞬時に識別可能な形態が好ましく、この点からも改善の余地が多い。
【００１０】
本発明は、上記事情に鑑みてなされたもので、文字や画像等を高い視認性で光学的に形成することができる情報記憶媒体、情報記録再生装置、および情報記録再生方法を提供することを目的とする。
【課題を解決するための手段】
【００１１】
本発明に係る情報記憶媒体は、上記課題を解決するため、請求項１に記載したように、一方の面がレーザ照射面であり他方の面がレーベル面である多層記録可能な情報記憶媒体において、各種デジタルデータを前記レーザ照射面側から光学的に記録する第１の記録層と、画像データを前記レーザ照射面側から光学的に、かつ前記レーベル面側から視認可能に記録する第２の記録層と、を備えたことを特徴とする。
【００１２】
また、本発明に係る情報記録再生装置は、上記課題を解決するため、請求項８に記載したように、一方の面がレーザ照射面であり他方の面がレーベル面である多層記録可能な情報記憶媒体に記録し再生する情報記録再生装置おいて、各種デジタルデータを前記レーザ照射面側から光学的に第１の記録層に記録し再生する手段と、画像データを前記レーザ照射面側から光学的に、かつ前記レーベル面側から視認可能に第２の記録層に記録し、再生する手段と、を備えたことを特徴とする。
【００１３】
また、本発明に係る情報記録再生方法は、上記課題を解決するため、請求項１５に記載したように、一方の面がレーザ照射面であり他方の面がレーベル面である多層記録可能な情報記憶媒体に記録し再生する情報記録再生方法において、各種デジタルデータを前記レーザ照射面側から光学的に第１の記録層に記録し再生するステップと、画像データを前記レーザ照射面側から光学的に、かつ前記レーベル面側から視認可能に第２の記録層に記録し、再生するステップと、を備えたことを特徴とする。
【発明の効果】
【００１４】
文字や画像等を高い視認性で光学的に情報記憶媒体に形成することができる。
【発明を実施するための最良の形態】
【００１５】
本発明に係る情報記憶媒体、情報記録再生装置、および情報記録再生方法の実施形態について、添付図面を参照して説明する。
【００１６】
（１）情報記憶媒体
図１は、情報記憶媒体１の一実施形態に係る断面構造を模式的に示した図である。情報記憶媒体１は、いわゆる光ディスクであり、ＣＤ（Compact  Disk）、ＤＶＤ（Digital  Versatile  Disk）等である。また、ＨＤ  ＤＶＤの次世代型ＤＶＤも含むものである。
【００１７】
ディスク供給元で既にデータが書き込まれユーザ側で変更できないＲＯＭ型（ＣＤ−ＲＯＭ、ＤＶＤ−ＲＯＭ等）、ユーザが１回だけデータを書き込める追記型（ＣＤ−Ｒ、ＤＶＤ−Ｒ、ＨＤ  ＤＶＤ−Ｒ等）、ユーザが何度でも（所定の制限回数内で）データを書き換えることができる書き換え型（ＣＤ−ＲＷ、ＤＶＤ−ＲＡＭ、ＨＤ  ＤＶＤ−ＲＷ等）等を含む。
【００１８】
情報記憶媒体１は、少なくとも２層以上の多層構造をなしており、図１の例示は２層構造の情報記憶媒体１を示したものである。
【００１９】
情報記憶媒体１は、図１において最も下側の面が、レーザ光が照射されるレーザ照射面５１となっており、最も上側の面がレーベル面５０となっている。
【００２０】
情報記憶媒体１の構造は、下側からディスク基板（カバー層）５８、第１の記録層５７、第１の反射層５６、中間層５５、第２の記録層５４、第２の反射層５３、およびディスク基板５２が積層されて構成されている。
【００２１】
ディスク基板（カバー層）５８は、光ピックアップに対向する面（レーザ照射面５１）を有する層であり、光ピックアップから照射されるレーザ光を透過可能に構成されている。
【００２２】
第１の記録層５７には、各種デジタルデータ（映像・音声等の各種コンテンツデータや、各種情報処理データ等）がレーザ光によって光学的に記録され、また再生される。
【００２３】
第２の記録層５４は、文字、図形、写真等の画像データが視認可能に描画される層であり、描画方法は第１の記録層５７と同様にレーザ光によって光学的に記録される。
【００２４】
第１、第２の反射層５６、５３は、それぞれ第１、第２の記録層５７、５４を記録し再生する際にレーザ光を効率よく光ピックアップに反射させるための層である。第１の反射層５６と第２の記録層５４との間には中間層５５が設けられている。
【００２５】
従来の情報記憶媒体では、多層の記録層（図１の例では、第１の記録層５７および第２の記録層５４）に各種デジタルデータを記録することで、ディスクの記録容量の増大を図っている。
【００２６】
第１の記録層５７にデジタルデータを記録し、再生するときには、レーザ光のフォーカス位置を第１の記録層５７に合致させるように（図１の左側のレーザ光の位置）フォーカス制御する。他方、第２の記録層５４にデジタルデータを記録し、再生するときには、レーザ光のフォーカス位置を第２の記録層５４に合致させるように（図１の右側のレーザ光の位置）フォーカス制御する。第２の記録層５４の記録、再生時には第１の記録層５７とフォーカス位置はずれており（デフォーカスされており）、第１の記録層５７からの影響を受けないようにしている。
【００２７】
本実施形態では、第１の記録層５７をデジタルデータの記録、再生用に使用し、第２の記録層５４を画像データの描画用として使用する形態としている。第２の記録層５４に描画される画像データは、例えば、第１の記録層５７に記録されるデジタルデータの内容を識別容易とする文字、図形、写真等である。第２の記録層５４に形成された可視画像によって、ユーザは容易に情報記憶媒体１に記録されているデジタルデータの内容を識別することができる。
【００２８】
図２は、一般的な光ディスクの記録構造を示す図であるが、本実施形態に係る情報記憶媒体１も図２と同様の記録構造を有している。
【００２９】
情報記憶媒体１は、図２（ａ）に示したように、螺旋状のトラックを有しており、第１の記録層５７に記録されるデジタルデータはこのトラック上に記録される。また、第２の記録層５４に記録（描画）される画像データも、第１の記録層５７と同様にこのトラック上に記録される。
【００３０】
トラック上にはピットが形成され、ピットの有無による反射率の差異によってデジタルデータを再生している。
【００３１】
図２（ｂ）はＲＯＭ型の情報記憶媒体１の典型的なピットの状態を示す図であり、略平坦な面にピットが形成される。
【００３２】
図２（ｃ）は追記型、或いは書き換え型の情報記憶媒体１の典型的なピットの状態を示す図である。追記型、或いは書き換え型の情報記憶媒体１では、平面状のランド６２にグルーブ（溝）６３が形成されており、グルーブ６３はトラックに沿ってうねり（ウォブル）波形を示すように形成されている。ピット６１は、ランド６２とグルーブ６３の何れか一方、或いは双方に形成することが可能である。
【００３３】
本発明は画像の描画方法それ自体を限定するものではなく、画像の描画方法は特許文献１、２等に開示されている技術を用いてもよい。例えば、第２の記録層５４に画像データを描画するときには、ピットの有無、ピットの間隔、ピットの大きさ（トラック方向のピットの長さ）等を描画する画像に対応して設定する。ピットとピット以外の領域は可視光に対して異なる反射率を示すため、第２の記録層５４に可視画像を形成することができる。
【００３４】
ピットはデジタルデータを記録するときのように離散的である必要なく、連続的な形態のピットでもよい。また、ピット間隔の粗密によって画像の濃淡を表現する形態でもよい。
【００３５】
図３は、本実施形態に係る情報記憶媒体１における可視画像形成の概念を示す図である。レーザ光は、ディスク基板（カバー層）５８のレーザ照射面５１側から照射される。照射されたレーザ光は第１の記録層５７を透過し、フォーカス位置は第２の記録層５４に合致される。この状態で第２の記録層５４上に画像が形成される。
【００３６】
本実施形態では、ディスク基板（カバー層）５８、ディスク基板５２は、可視光が透過可能な透明な材料で形成されている。また、第１の反射層５６、第２の反射層５３も可視光が透過可能に形成されている。情報記憶媒体１をこのように透明（可視光が透過可能）に形成する技術は公知技術を用いて実現できる。
【００３７】
情報記憶媒体１が透明に形成されていることにより、第２の記録層５４に描画された画像はディスク基板５２を介して、レーベル面５０から容易に視認することが可能となる。
【００３８】
また、図３に示したように画像に文字が含まれる場合には、レーザ照射面５１側からレーザ光で文字を描画する際にいわゆる鏡文字として形成する形態が良い。鏡文字であればユーザが視認するレーザ照射面５１側からのビューは通常文字として容易に認識できる。
【００３９】
なお、第１の記録層５７は、デジタルデータが記録されていても良いし、記録されていなくてもよい。
【００４０】
また、本実施形態の説明では、デジタルデータを記録する第１の記録層５７を、画像を描画する第２の記録層５４よりもレーザ光に近い位置に配置する形態としているが、これを逆にして、第２の記録層５４を、第１の記録層５７よりもレーザ光に近い位置に配置する形態としてもよい。
【００４１】
図４は、情報記憶媒体１が追記型、或いは書き換え型である場合の画像描画の概念を示す図である。
【００４２】
図４（ａ）は、第２の記録層５４に「あ」の鏡文字を含む画像を描画している様子を示している。第２の記録層５４に描かれた画像は、レーベル面５０からのビューとしては、通常文字「あ」として認識される。
【００４３】
図４（ｂ）は、第２の記録層５４の画像を消去した様子を示している。画像の消去は、例えば通常のデジタルデータの消去と同様の手法で行うことができる。
【００４４】
図４（ｃ）は、第２の記録層５４に、図４（ａ）とは異なる画像（「い」の鏡文字を含む画像）を描画した状況を示している。
【００４５】
本実施形態によれば、デジタルデータの消去と連動させて画像を消去し、また、新たに異なるデジタルデータを記録した場合には、その内容を識別可能な新たな画像を第２の記録層５４に連動して描画することができる。このため、従来のような、デジタルデータの書き換え毎にレーベル面５０に貼付された紙レーベルを貼りなおす等の煩雑な作業が不要となり、便利である。また、レーベルへの記載忘れ等の防止も容易となり、情報記憶媒体１自体や記録されたデータの散逸を未然に防ぐことができる。
【００４６】
図５は、第２の記録層５４を複数保有する実施形態を例示する図である。
【００４７】
本実施形態では、図５に例示したように、例えば、２つの第２の記録層５４、５４ａに異なる画像を描画する。単独の記録層だけでは十分な明暗比が得られない場合であっても、２以上の記録層に重ねて描画することによって、幅の広い明暗比が得られ、階調のある画像を得ることができる。
【００４８】
また、第２の記録層５４を、レーザ光の照射によって特定の色に変色する材質で形成し、さらに変色後の色が異なる複数の第２の記録層５４を重ねる形態とすることにより、レーベル面５０からみた画像がカラー画像となるように形成することができる。
【００４９】
上記各実施形態は、透明構造を有する情報記憶媒体１をレーベル面５０側から視認する形態である。一方、情報記憶媒体１が透明構造でない形態も多い。この場合には、第２の記録層５４に描画される画像はレーザ照射面５１側から視認する形態とすればよい。さらに、画像に文字が含まれる場合には、鏡文字ではなく通常文字を描画すればよい。
【００５０】
（２）情報記録再生装置および情報記録再生方法
図６は、本発明の実施形態に係る情報記録再生装置１００のシステム構成例を示す図である。
【００５１】
情報記録再生装置１００は、変調回路２、レーザ制御回路３、レーザ４、コリメートレンズ５、偏光ビームスプリッタ（以下ＰＢＳ）６、４分の１波長板７、対物レンズ８、集光レンズ９、光検出器１０、信号処理回路１１、復調回路１２、フォーカスエラー信号生成回路１３、トラッキングエラー信号生成回路１４、フォーカス制御回路１６、トラッキング制御回路１７、主制御部２０を備えている。
【００５２】
主制御部２０は、ドライブ部を制御するものである。ドライブ部は、変調回路２、レーザ制御回路３、レーザ４、コリメートレンズ５、ＰＢＳ６、４分の１波長板７、対物レンズ８、集光レンズ９、光検出器１０、信号処理回路１１、復調回路１２、フォーカスエラー信号生成回路１３、トラッキングエラー信号生成回路１４、フォーカス制御回路１６、及びトラッキング制御回路１７を含むものである。
【００５３】
まず、この情報記録再生装置１００によるデータの記録および画像描画について説明する。データの記録は、主制御部２０により制御される。記録データ（データシンボル）は、変調回路２により所定のチャネルビット系列に変調される。記録データに対応したチャネルビット系列は、レーザ制御回路３によりレーザ駆動波形に変換される。レーザ制御回路３は、レーザ４をパルス駆動し、所望のビット系列に対応したデータを情報記憶媒体１上に記録する。レーザ４から放射された記録用の光ビームは、コリメートレンズ５で平行光となり、ＰＢＳ６に入射し、透過する。ＰＢＳ６を透過したビームは４分の１波長板７を透過し、対物レンズ８により媒体１の情報記録面（第１の記録層５７）に集光される。集光されたビームは、フォーカス制御回路１６によるフォーカス制御及びトラッキング制御回路１７によるトラッキング制御により、記録面上（第１の記録層５７）に最良の微小スポットが得られる状態で維持される。
【００５４】
第２の記録層５４に対する画像描画もデータの記録とほぼ同様に行われる。ただし、画像を描画する場合には、画像の画素データを予め第２の記録層５４上に描く、適宜のピットパタンデータに変換しておく必要がある。また、フォーカス制御におけるフォーカス位置は、第２の記録層５４に合致するように制御する必要がある。
【００５５】
続いて、この情報記録再生装置によるデータの再生について説明する。データの再生は、主制御部２０により制御される。主制御部２０からのデータ再生指示に基づき、レーザ４は再生用の光ビームを放射する。レーザ４から放射された再生用の光ビームは、コリメートレンズ５で平行光となり、ＰＢＳ６に入射し、透過する。ＰＢＳ６を透過した光ビームは４分の１波長板７を透過し、対物レンズ８により媒体１の情報記録面に集光される。集光されたビームは、フォーカス制御回路１６によるフォーカス制御及びトラッキング制御回路１７によるトラッキング制御により、記録面上に最良の微小スポットが得られる状態で維持される。このとき、媒体１上に照射された再生用の光ビームは、情報記録面内の反射膜あるいは反射性記録膜により反射される。反射光は対物レンズ８を逆方向に透過し、再度平行光となる。反射光は４分の１波長板７を透過し、入射光に対して垂直な偏光を持ち、ＰＢＳ６では反射される。ＰＢＳ６で反射されたビームは集光レンズ９により収束光となり、光検出器１０に入射される。光検出器１０は、例えば、４分割のフォトディテクタから構成されている。光検出器１０に入射した光束は光電変換されて電気信号となり増幅される。増幅された信号は信号処理回路１１にて等化され２値化され、復調回路１２に送られる。復調回路１２では所定の変調方式に対応した復調動作を施されて、再生データが出力される。
【００５６】
また、光検出器１０から出力される電気信号の一部に基づき、フォーカスエラー信号生成回路１３によりフォーカスエラー信号が生成される。同様に、光検出器１０から出力される電気信号の一部に基づき、トラッキングエラー信号生成回路１４によりトラッキングエラー信号が生成される。フォーカス制御回路１６は、フォーカスエラー信号に基づきビームスポットのフォーカスを制御する。トラッキング制御回路１７は、トラッキングエラー信号に基づきビームスポットのトラッキングを制御する。
【００５７】
なお、第２の記録層５４に描画された画像はユーザに対して可視画像を提供することを目的とするものであり、再生動作とは直接関係しない。
【００５８】
本実施形態に係る情報記憶媒体１、情報記録再生装置１００、および情報記録再生方法によれば、文字や画像等を高い視認性で光学的に情報記憶媒体に形成することができる。
【００５９】
なお、本発明は上記の実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせても良い。
【図面の簡単な説明】
【００６０】
【図１】本発明に係る情報記憶媒体の一実施形態の断面構造を模式的に示す図。
【図２】本発明に係る情報記憶媒体の一実施形態の記録構造を模式的に示す図。
【図３】本発明に係る情報記憶媒体の一実施形態の画像描画の概念を示す第１の図。
【図４】本発明に係る情報記憶媒体の一実施形態の画像描画の概念を示す第２の図。
【図５】本発明に係る情報記憶媒体の一実施形態の画像描画の概念を示す第３の図。
【図６】本発明に係る情報記憶媒体の一実施形態のシステム構成例を示す図。
【符号の説明】
【００６１】
１  情報記憶媒体
２  変調回路
３  レーザ制御回路
１１  信号処理回路
１２  復調回路
１３  フォーカスエラー信号生成回路
１４  トラッキングエラー信号生成回路
１６  フォーカス制御回路
１７  トラッキング回路
２０  主制御部
５０  レーベル面
５１  レーザ照射面
５２  ディスク基板
５３  第２の反射層
５４、５４ａ  第２の記録層
５５  中間層
５６  第１の反射層
５７  第１の記録層
５８  ディスク基板（カバー層）
１００  情報記録再生装置
【図１】
2007035194.tif 000003
【図２】
2007035194.tif 000004
【図３】
2007035194.tif 000005
【図４】
2007035194.tif 000006
【図５】
2007035194.tif 000007
【図６】
2007035194.tif 000008
【手続補正書】
【提出日】平成17年8月11日(2005.8.11)
【手続補正１】
【補正対象書類名】特許請求の範囲
【補正対象項目名】全文
【補正方法】変更
【補正の内容】
【特許請求の範囲】
【請求項１】
一方の面がレーザ照射面であり他方の面がレーベル面である多層記録可能な情報記憶媒体において、
各種デジタルデータを前記レーザ照射面側から光学的に記録する第１の記録層と、
画像データを前記レーザ照射面側から光学的に、かつ前記レーベル面側から視認可能に記録する第２の記録層と、
を備えたことを特徴とする情報記憶媒体。
【請求項２】
前記情報記憶媒体は透明構造を有することを特徴とする請求項１に記載の情報記憶媒体。
【請求項３】
前記情報記憶媒体は、追記型、或いは書き換え型の情報記憶媒体であり、
前記各種デジタルデータおよび前記画像データは、追記可能、或いは書換え可能であることを特徴とする請求項１に記載の情報記憶媒体。
【請求項４】
前記画像データは文字を含み、
前記文字は、前記レーザ照射面からは鏡文字で記録することを特徴とする請求項１に記載の情報記憶媒体。
【請求項５】
前記第２の記録層を複数備え、前記複数の第２の記録層によって前記画像データの階調を表現可能に構成されたことを特徴とする請求項１に記載の情報記憶媒体。
【請求項６】
前記第２の記録層を複数備え、前記複数の第２の記録層によって前記画像データの色を表現可能に構成されたことを特徴とする請求項１に記載の情報記憶媒体。
【請求項７】
多層記録可能な情報記憶媒体において、
各種デジタルデータを前記レーザ照射面側から光学的に記録する第１の記録層と、
画像データを前記レーザ照射面側から光学的に、かつ前記レーザ照射面側から視認可能に記録する第２の記録層と、
を備えたことを特徴とする情報記憶媒体。
【請求項８】
一方の面がレーザ照射面であり他方の面がレーベル面である多層記録可能な情報記憶媒体に記録し再生する情報記録再生装置おいて、
各種デジタルデータを前記レーザ照射面側から光学的に第１の記録層に記録し再生する手段と、
画像データを前記レーザ照射面側から光学的に、かつ前記レーベル面側から視認可能に第２の記録層に記録し、再生する手段と、
を備えたことを特徴とする情報記録再生装置。
【請求項９】
多層記録可能な情報記憶媒体に記録し再生する情報記録再生装置おいて、
各種デジタルデータを前記レーザ照射面側から光学的に第１の記録層に記録し再生する手段と、
画像データを前記レーザ照射面側から光学的に、かつ前記レーザ照射面側から視認可能に第２の記録層に記録し再生する手段と、
を備えたことを特徴とする情報記録再生装置。
【請求項１０】
一方の面がレーザ照射面であり他方の面がレーベル面である多層記録可能な情報記憶媒体に記録し再生する情報記録再生方法において、
各種デジタルデータを前記レーザ照射面側から光学的に第１の記録層に記録し再生するステップと、
画像データを前記レーザ照射面側から光学的に、かつ前記レーベル面側から視認可能に第２の記録層に記録し、再生するステップと、
を備えたことを特徴とする情報記録再生方法。
【請求項１１】
多層記録可能な情報記憶媒体に記録し再生する情報記録再生方法おいて、
各種デジタルデータを前記レーザ照射面側から光学的に第１の記録層に記録し再生するステップと、
画像データを前記レーザ照射面側から光学的に、かつ前記レーザ照射面側から視認可能に第２の記録層に記録し再生するステップと、
を備えたことを特徴とする情報記録再生方法。
【手続補正２】
【補正対象書類名】明細書
【補正対象項目名】全文
【補正方法】変更
【補正の内容】
【発明の詳細な説明】
【技術分野】
【０００１】
本発明は、情報記憶媒体、情報記録再生装置、および情報記録再生方法に係り、特に、可視画像を記録、再生可能な情報記憶媒体、情報記録再生装置、および情報記録再生方法に関する。
【背景技術】
【０００２】
今日、各種のＣＤ（Coｍpact  Disk）やＤＶＤ（Digital  Versatile  Disk）等の光ディスク（情報記憶媒体）が広く普及している。また、新たな次世代型のＤＶＤ、例えばＨＤ  ＤＶＤ等も開発されてきている。これらの光ディスクには、追記型ディスクや書き換え型ディスク等のように、ユーザがデータを任意に書き込める形態のものも多い。
【０００３】
光ディスクは、レーザを照射する記録面とその反対側にレーベル面を備える形態が一般的である。レーベル面には光ディスクを識別する情報が、例えば紙に印刷されて貼り付けられたり、直接エッチング等で処理されている。
【０００４】
また、追記型ディスクや書き換え型ディスクの場合は、記録したデータの内容を識別するために、ユーザ自身が貼付した紙等のラベルにデータの内容を例えばマジックペン等で書き込み、或いはユーザ自身が印刷した識別ラベルを貼付、若しくは光ディスクのレーベル面に直接印刷することが多い。書き換え型ディスクでは、ディスクの記録内容を何度でも書き換えられるため、書き換える度に、記録データの内容に応じた識別情報をレーベル面に書き込むか、或いは紙ラベル等を剥がして再度貼付する等の作業を伴うことが多い。これらの作業は煩雑であるばかりか、誤った識別情報が書かれる場合もある。レーベル面に直接印刷した場合には修正することができない。また、煩雑さのあまりレベルの記録を怠ると、後日その光ディスクに記録した内容を検索し特定するために多くの労力を費やすことになる。
【０００５】
光ディスクへのデータ記録と同時に、データ内容を容易に視認することができる文字や画像を、簡便な方法で光ディスク上に光学的に記録することができれば、ユーザの負担は大きく軽減される。また、ユーザが書き換えられないＣＤ−ＲＯＭやＤＶＤ−ＲＯＭ等であっても、光ディスク供給者は、ラベル貼付工程が不要となり光ディスク製造コストの低減が可能となる。
【０００６】
他方、ＣＤにおいて、記録面のうちデータが記録されていない領域に対して、光学的に文字や画像を描画する技術が、例えば特許文献１、２等に開示されている。
【０００７】
特許文献１では、周期性のあるピットを光ディスク上に形成することで回折格子を生成し、ホログラム画像を生成する技術を開示している。また、特許文献２では、未記録の領域にレーザ光を照射し、熱変色させることによって文字や図柄等の可視画像を形成する技術を開示している。
【特許文献１】特開２００４−１７１６０５号公報
【特許文献２】特開２００４−２１３８５２号公報
【発明の開示】
【発明が解決しようとする課題】
【０００８】
特許文献１等が開示する技術は、画像をデータ記録層の未記録領域に形成するものであり、視認性の点では改善の余地がある。また、記録した画像は記録面側から視認することになる。ユーザの視認性の観点からは、レーベル面側から瞬時に識別可能な形態が好ましい。
【０００９】
本発明は、上記事情に鑑みてなされたもので、文字や画像等を高い視認性で光学的に形成することができる情報記憶媒体、情報記録再生装置、および情報記録再生方法を提供することを目的とする。
【課題を解決するための手段】
【００１０】
本発明に係る情報記憶媒体は、上記課題を解決するため、請求項１に記載したように、一方の面がレーザ照射面であり他方の面がレーベル面である多層記録可能な情報記憶媒体において、各種デジタルデータを前記レーザ照射面側から光学的に記録する第１の記録層と、画像データを前記レーザ照射面側から光学的に、かつ前記レーベル面側から視認可能に記録する第２の記録層と、を備えたことを特徴とする。
【００１１】
また、本発明に係る情報記録再生装置は、上記課題を解決するため、請求項８に記載したように、一方の面がレーザ照射面であり他方の面がレーベル面である多層記録可能な情報記憶媒体に記録し再生する情報記録再生装置おいて、各種デジタルデータを前記レーザ照射面側から光学的に第１の記録層に記録し再生する手段と、画像データを前記レーザ照射面側から光学的に、かつ前記レーベル面側から視認可能に第２の記録層に記録し、再生する手段と、を備えたことを特徴とする。
【００１２】
また、本発明に係る情報記録再生方法は、上記課題を解決するため、請求項１５に記載したように、一方の面がレーザ照射面であり他方の面がレーベル面である多層記録可能な情報記憶媒体に記録し再生する情報記録再生方法において、各種デジタルデータを前記レーザ照射面側から光学的に第１の記録層に記録し再生するステップと、画像データを前記レーザ照射面側から光学的に、かつ前記レーベル面側から視認可能に第２の記録層に記録し、再生するステップと、を備えたことを特徴とする。
【発明の効果】
【００１３】
文字や画像等を高い視認性で光学的に情報記憶媒体に形成することができる。
【発明を実施するための最良の形態】
【００１４】
本発明に係る情報記憶媒体、情報記録再生装置、および情報記録再生方法の実施形態について、添付図面を参照して説明する。
【００１５】
（１）情報記憶媒体
図１は、情報記憶媒体１の一実施形態に係る断面構造を模式的に示した図である。情報記憶媒体１は、いわゆる光ディスクであり、ＣＤ（Compact  Disk）、ＤＶＤ（Digital  Versatile  Disk）等である。また、ＨＤ  ＤＶＤの次世代型ＤＶＤも含むものである。
【００１６】
ディスク供給元で既にデータが書き込まれユーザ側で変更できないＲＯＭ型（ＣＤ−ＲＯＭ、ＤＶＤ−ＲＯＭ等）、ユーザが１回だけデータを書き込める追記型（ＣＤ−Ｒ、ＤＶＤ−Ｒ、ＨＤ  ＤＶＤ−Ｒ等）、ユーザが何度でも（所定の制限回数内で）データを書き換えることができる書き換え型（ＣＤ−ＲＷ、ＤＶＤ−ＲＡＭ、ＨＤ  ＤＶＤ−ＲＷ等）等を含む。
【００１７】
情報記憶媒体１は、ＤＶＤの一般的な断面構造を示し、少なくとも２層以上の多層構造をなしており、図１の例示は２層構造の情報記憶媒体１を示したものである。
【００１８】
情報記憶媒体１は、図１において最も下側の面が、レーザ光が照射されるレーザ照射面５１となっており、最も上側の面がレーベル面５０となっている。
【００１９】
情報記憶媒体１の構造は、下側からディスク基板（カバー層）５８、第１の記録層５７、第１の反射層５６、中間層５５、第２の記録層５４、第２の反射層５３、およびディスク基板５２が積層されて構成されている。
【００２０】
ディスク基板（カバー層）５８は、光ピックアップに対向する面（レーザ照射面５１）を有する層であり、光ピックアップから照射されるレーザ光を透過可能に構成されている。
【００２１】
第１の記録層５７には、各種デジタルデータ（映像・音声等の各種コンテンツデータや、各種情報処理データ等）がレーザ光によって光学的に記録され、また再生される。
【００２２】
第２の記録層５４は、文字、図形、写真等の画像データが視認可能に描画される層であり、描画方法は第１の記録層５７と同様にレーザ光によって光学的に記録される。
【００２３】
第１、第２の反射層５６、５３は、それぞれ第１、第２の記録層５７、５４を記録し再生する際にレーザ光を効率よく光ピックアップに反射させるための層である。第１の反射層５６と第２の記録層５４との間には中間層５５が設けられている。
【００２４】
従来の情報記憶媒体では、多層の記録層（図１の例では、第１の記録層５７および第２の記録層５４）に各種デジタルデータを記録することで、ディスクの記録容量の増大を図っている。
【００２５】
第１の記録層５７にデジタルデータを記録し、再生するときには、レーザ光のフォーカス位置を第１の記録層５７に合致させるように（図１の左側のレーザ光の位置）フォーカス制御する。他方、第２の記録層５４にデジタルデータを記録し、再生するときには、レーザ光のフォーカス位置を第２の記録層５４に合致させるように（図１の右側のレーザ光の位置）フォーカス制御する。第２の記録層５４の記録、再生時には第１の記録層５７とフォーカス位置はずれており（デフォーカスされており）、第１の記録層５７からの影響を受けないようにしている。
【００２６】
本実施形態では、第１の記録層５７をデジタルデータの記録、再生用に使用し、第２の記録層５４を画像データの描画用として使用する形態としている。第２の記録層５４に描画される画像データは、例えば、第１の記録層５７に記録されるデジタルデータの内容を識別容易とする文字、図形、写真等である。第２の記録層５４に形成された可視画像によって、ユーザは容易に情報記憶媒体１に記録されているデジタルデータの内容を識別することができる。
【００２７】
図２は、一般的な光ディスクの記録構造を示す図であるが、本実施形態に係る情報記憶媒体１も図２と同様の記録構造を有している。
【００２８】
情報記憶媒体１は、図２（ａ）に示したように、螺旋状のトラックを有しており、第１の記録層５７に記録されるデジタルデータはこのトラック上に記録される。また、第２の記録層５４に記録（描画）される画像データも、第１の記録層５７と同様にこのトラック上に記録される。
【００２９】
トラック上にはピットが形成され、ピットの有無による反射率の差異によってデジタルデータを再生している。
【００３０】
図２（ｂ）はＲＯＭ型の情報記憶媒体１の典型的なピットの状態を示す図であり、略平坦な面にピットが形成される。
【００３１】
図２（ｃ）は追記型、或いは書き換え型の情報記憶媒体１の典型的なピットの状態を示す図である。追記型、或いは書き換え型の情報記憶媒体１では、平面状のランド６２にグルーブ（溝）６３が形成されており、グルーブ６３はトラックに沿ってうねり（ウォブル）波形を示すように形成されている。ピット６１は、光ディスクの種類によりランド６２とグルーブ６３の何れか一方、或いは双方に形成することが可能である。
【００３２】
本発明は画像の描画方法それ自体を限定するものではなく、画像の描画方法は特許文献１、２等に開示されている技術を用いてもよい。例えば、第２の記録層５４に画像データを描画するときには、ピットの有無、ピットの間隔、ピットの大きさ（トラック方向のピットの長さ）等を描画する画像に対応して設定する。ピットとピット以外の領域は可視光に対して異なる反射率を示すため、第２の記録層５４に可視画像を形成することができる。
【００３３】
ピットはデジタルデータを記録するときのように離散的である必要なく、連続的な形態のピットでもよい。また、ピット間隔の粗密によって画像の濃淡を表現する形態でもよい。
【００３４】
図３は、本実施形態に係る情報記憶媒体１における可視画像形成の概念を示す図である。レーザ光は、ディスク基板（カバー層）５８のレーザ照射面５１側から照射される。照射されたレーザ光は第１の記録層５７を透過し、フォーカス位置は第２の記録層５４に合致される。この状態で第２の記録層５４上に画像が形成される。
【００３５】
本実施形態では、ディスク基板（カバー層）５８、ディスク基板５２は、可視光が透過可能な透明な材料で形成されている。また、第１の反射層５６、第２の反射層５３も可視光が透過可能に形成されている。情報記憶媒体１をこのように透明（可視光が透過可能）に形成する技術は公知技術を用いて実現できる。
【００３６】
情報記憶媒体１が透明に形成されていることにより、第２の記録層５４に描画された画像はディスク基板５２を介して、レーベル面５０から容易に視認することが可能となる。
【００３７】
また、図３に示したように画像に文字が含まれる場合には、レーザ照射面５１側からレーザ光で文字を描画する際にいわゆる鏡文字として形成する形態が良い。鏡文字であればユーザが視認するレーザ照射面５１側からのビューは通常文字として容易に認識できる。
【００３８】
なお、第１の記録層５７は、デジタルデータが記録されていても良いし、記録されていなくてもよい。
【００３９】
また、本実施形態の説明では、デジタルデータを記録する第１の記録層５７を、画像を描画する第２の記録層５４よりもレーザ光に近い位置に配置する形態としているが、これを逆にして、第２の記録層５４を、第１の記録層５７よりもレーザ光に近い位置に配置する形態としてもよい。
【００４０】
図４は、情報記憶媒体１が書き換え型である場合の画像描画の概念を示す図である。
【００４１】
図４（ａ）は、第２の記録層５４に「あ」の鏡文字を含む画像を描画している様子を示している。第２の記録層５４に描かれた画像は、レーベル面５０からのビューとしては、通常文字「あ」として認識される。
【００４２】
図４（ｂ）は、第２の記録層５４の画像を消去した様子を示している。画像の消去は、例えば通常のデジタルデータの消去と同様の手法で行うことができる。
【００４３】
図４（ｃ）は、第２の記録層５４に、図４（ａ）とは異なる画像（「い」の鏡文字を含む画像）を描画した状況を示している。
【００４４】
本実施形態によれば、デジタルデータの消去と連動させて画像を消去し、また、新たに異なるデジタルデータを記録した場合には、その内容を識別可能な新たな画像を第２の記録層５４に連動して描画することができる。このため、従来のような、デジタルデータの書き換え毎にレーベル面５０に貼付された紙レーベルを貼りなおす等の煩雑な作業が不要となり、便利である。また、レーベルへの記載忘れ等の防止も容易となり、情報記憶媒体１自体や記録されたデータの散逸を未然に防ぐことができる。
【００４５】
図５は、第２の記録層５４を複数保有する実施形態を例示する図である。
【００４６】
本実施形態では、図５に例示したように、例えば、２つの第２の記録層５４、５４ａに異なる画像を描画する。単独の記録層だけでは十分な明暗比が得られない場合であっても、２以上の記録層に重ねて描画することによって、幅の広い明暗比が得られ、階調のある画像を得ることができる。
【００４７】
また、第２の記録層５４を、レーザ光の照射によって特定の色に変色する材質で形成し、さらに変色後の色が異なる複数の第２の記録層５４を重ねる形態とすることにより、レーベル面５０からみた画像がカラー画像となるように形成することができる。
【００４８】
上記各実施形態は、透明構造を有する情報記憶媒体１をレーベル面５０側から視認する形態である。一方、情報記憶媒体１が透明構造でない形態も多い。この場合には、第２の記録層５４に描画される画像はレーザ照射面５１側から視認する形態とすればよい。さらに、画像に文字が含まれる場合には、鏡文字ではなく通常文字を描画すればよい。
【００４９】
（２）情報記録再生装置および情報記録再生方法
図６は、本発明の実施形態に係る情報記録再生装置１００のシステム構成例を示す図である。
【００５０】
情報記録再生装置１００は、変調回路２、レーザ制御回路３、レーザ４、コリメートレンズ５、偏光ビームスプリッタ（以下ＰＢＳ）６、４分の１波長板７、対物レンズ８、集光レンズ９、光検出器１０、信号処理回路１１、復調回路１２、フォーカスエラー信号生成回路１３、トラッキングエラー信号生成回路１４、フォーカス制御回路１６、トラッキング制御回路１７、主制御部２０を備えている。
【００５１】
主制御部２０は、ドライブ部を制御するものである。ドライブ部は、変調回路２、レーザ制御回路３、レーザ４、コリメートレンズ５、ＰＢＳ６、４分の１波長板７、対物レンズ８、集光レンズ９、光検出器１０、信号処理回路１１、復調回路１２、フォーカスエラー信号生成回路１３、トラッキングエラー信号生成回路１４、フォーカス制御回路１６、及びトラッキング制御回路１７を含むものである。
【００５２】
まず、この情報記録再生装置１００によるデータの記録および画像描画について説明する。データの記録は、主制御部２０により制御される。記録データ（データシンボル）は、変調回路２により所定のチャネルビット系列に変調される。記録データに対応したチャネルビット系列は、レーザ制御回路３によりレーザ駆動波形に変換される。レーザ制御回路３は、レーザ４をパルス駆動し、所望のビット系列に対応したデータを情報記憶媒体１上に記録する。レーザ４から放射された記録用の光ビームは、コリメートレンズ５で平行光となり、ＰＢＳ６に入射し、透過する。ＰＢＳ６を透過したビームは４分の１波長板７を透過し、対物レンズ８により媒体１の情報記録面（第１の記録層５７）に集光される。集光されたビームは、フォーカス制御回路１６によるフォーカス制御及びトラッキング制御回路１７によるトラッキング制御により、記録面上（第１の記録層５７）に最良の微小スポットが得られる状態で維持される。
【００５３】
第２の記録層５４に対する画像描画もデータの記録とほぼ同様に行われる。ただし、画像を描画する場合には、画像の画素データを予め第２の記録層５４上に描く、適宜のピットパタンデータに変換しておく必要がある。また、フォーカス制御におけるフォーカス位置は、第２の記録層５４に合致するように制御する必要がある。
【００５４】
続いて、この情報記録再生装置によるデータの再生について説明する。データの再生は、主制御部２０により制御される。主制御部２０からのデータ再生指示に基づき、レーザ４は再生用の光ビームを放射する。レーザ４から放射された再生用の光ビームは、コリメートレンズ５で平行光となり、ＰＢＳ６に入射し、透過する。ＰＢＳ６を透過した光ビームは４分の１波長板７を透過し、対物レンズ８により媒体１の情報記録面に集光される。集光されたビームは、フォーカス制御回路１６によるフォーカス制御及びトラッキング制御回路１７によるトラッキング制御により、記録面上に最良の微小スポットが得られる状態で維持される。このとき、媒体１上に照射された再生用の光ビームは、情報記録面内の反射膜あるいは反射性記録膜により反射される。反射光は対物レンズ８を逆方向に透過し、再度平行光となる。反射光は４分の１波長板７を透過し、入射光に対して垂直な偏光を持ち、ＰＢＳ６では反射される。ＰＢＳ６で反射されたビームは集光レンズ９により収束光となり、光検出器１０に入射される。光検出器１０は、例えば、４分割のフォトディテクタから構成されている。光検出器１０に入射した光束は光電変換されて電気信号となり増幅される。増幅された信号は信号処理回路１１にて等化され２値化され、復調回路１２に送られる。復調回路１２では所定の変調方式に対応した復調動作を施されて、再生データが出力される。
【００５５】
また、光検出器１０から出力される電気信号の一部に基づき、フォーカスエラー信号生成回路１３によりフォーカスエラー信号が生成される。同様に、光検出器１０から出力される電気信号の一部に基づき、トラッキングエラー信号生成回路１４によりトラッキングエラー信号が生成される。フォーカス制御回路１６は、フォーカスエラー信号に基づきビームスポットのフォーカスを制御する。トラッキング制御回路１７は、トラッキングエラー信号に基づきビームスポットのトラッキングを制御する。
【００５６】
なお、第２の記録層５４に描画された画像はユーザに対して可視画像を提供することを目的とするものであり、再生動作とは直接関係しない。
【００５７】
本実施形態に係る情報記憶媒体１、情報記録再生装置１００、および情報記録再生方法によれば、文字や画像等を高い視認性で光学的に情報記憶媒体に形成することができる。
【００５８】
なお、本発明は上記の実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせても良い。
【図面の簡単な説明】
【００５９】
【図１】本発明に係る情報記憶媒体の一実施形態の断面構造を模式的に示す図。
【図２】本発明に係る情報記憶媒体の一実施形態の記録構造を模式的に示す図。
【図３】本発明に係る情報記憶媒体の一実施形態の画像描画の概念を示す第１の図。
【図４】本発明に係る情報記憶媒体の一実施形態の画像描画の概念を示す第２の図。
【図５】本発明に係る情報記憶媒体の一実施形態の画像描画の概念を示す第３の図。
【図６】本発明に係る情報記憶媒体の一実施形態のシステム構成例を示す図。
【符号の説明】
【００６０】
１  情報記憶媒体
２  変調回路
３  レーザ制御回路
１１  信号処理回路
１２  復調回路
１３  フォーカスエラー信号生成回路
１４  トラッキングエラー信号生成回路
１６  フォーカス制御回路
１７  トラッキング回路
２０  主制御部
５０  レーベル面
５１  レーザ照射面
５２  ディスク基板
５３  第２の反射層
５４、５４ａ  第２の記録層
５５  中間層
５６  第１の反射層
５７  第１の記録層
５８  ディスク基板（カバー層）
１００  情報記録再生装置
【手続補正３】
【補正対象書類名】図面
【補正対象項目名】図２
【補正方法】変更
【補正の内容】
【図２】
2007035194.tif 000009